【手続補正書】
【提出日】平成19年3月13日(2007.3.13)
【手続補正１】
【補正対象書類名】明細書
【補正対象項目名】特許請求の範囲
【補正方法】変更
【補正の内容】
【特許請求の範囲】
【請求項１】
記録媒体に対して画像形成を行なう画像形成手段と、
入力した画像形成命令に基づいて前記画像形成手段を制御する画像形成制御手段と、
前記画像形成手段に対して前記記録媒体の搬送を行なう搬送手段と、
前記搬送手段を制御する搬送制御手段と、
を有する画像形成装置であって、
前記搬送制御手段は、前記画像形成制御手段から、画像形成処理開始前に、前記画像形成命令に含まれる画像形成情報を獲得し、該画像形成情報を解析して、前記画像形成命令が実行可能か否かを前記画像形成制御手段に通知することを特徴とする画像形成装置。
【請求項２】
前記搬送手段は、載置された記録媒体の給送を行なう給送手段を含み、
前記搬送制御手段は、前記画像形成制御手段から、前記画像形成命令に含まれる画像形成枚数情報を獲得して、該枚数の記録媒体の給送が可能であるか否かを前記画像形成制御手段に通知することを特徴とする請求項１に記載の画像形成装置。
【請求項３】
前記給送手段は、給送すべき記録媒体を載置する載置手段と、載置手段上の記録媒体数を検知する記録媒体検知手段とを有し、
前記搬送制御手段は、前記画像形成枚数情報と、前記記録媒体検知手段によって検知された記録媒体数と、を比較することによって、前記画像形成命令が実行可能か否かを前記画像形成制御手段に通知することを特徴とする請求項２に記載の画像形成装置。
【請求項４】
前記搬送手段は、画像形成済の記録媒体を装置外に排出する排出手段を含み、
前記搬送制御手段は、前記画像形成制御手段から、前記画像形成命令に含まれる画像形成枚数情報を獲得して、該枚数の記録媒体の排出が可能であるか否かを前記画像形成制御手段に通知することを特徴とする請求項１に記載の画像形成装置。
【請求項５】
前記排出手段は、排出された記録媒体を載置する載置手段と、載置手段上の記録媒体数を検知する記録媒体検知手段とを有し、
前記搬送制御手段は、前記画像形成枚数情報と、前記記録媒体検知手段によって検知された記録媒体数と、前記載置手段に載置可能な記録媒体数とを比較することによって、前記画像形成命令が実行可能か否かを前記画像形成制御手段に通知することを特徴とする請求項４に記載の画像形成装置。
【請求項６】
前記搬送手段は、画像形成済の記録媒体をステープルして装置外に排出する排出手段を含み、
前記搬送制御手段は、前記画像形成制御手段から、前記画像形成命令に含まれるステープル数情報を獲得して、該ステープル数の記録媒体のステープルが可能であるか否かを前記画像形成制御手段に通知することを特徴とする請求項１に記載の画像形成装置。
【請求項７】
前記排出手段は、残留ステープル数を検知するステープル検知手段を有し、
前記搬送制御手段は、該ステープル検知手段によって検知された残留ステープル数と、前記画像形成命令に含まれるステープル数情報を比較して、前記画像形成命令の実行が可能か否かを前記画像形成制御手段に通知することを特徴とする請求項６に記載の画像形成装置。
【請求項８】
記録媒体に対して画像形成を行なう画像形成手段と、
入力した画像形成命令に基づいて前記画像形成手段を制御する画像形成制御手段と、
を有する画像形成装置に接続される搬送装置であって、
前記画像形成手段に対して前記記録媒体の搬送を行なう搬送手段と、
前記搬送手段を制御する搬送制御手段と、
を有し、
前記搬送制御手段は、前記画像形成制御手段から、画像形成処理開始前に、前記画像形成命令に含まれる画像形成情報を獲得し、該画像形成情報を解析して、前記画像形成命令が実行可能か否かを前記画像形成制御手段に通知することを特徴とする搬送装置。
【請求項９】
前記搬送手段は、載置された記録媒体の給送を行なう給送手段であって、
前記搬送制御手段は、前記画像形成制御手段から、前記画像形成命令に含まれる画像形成枚数情報を獲得して、該枚数の記録媒体の給送が可能であるか否かを前記画像形成制御手段に通知することを特徴とする請求項８に記載の搬送装置。
【請求項１０】
前記給送手段は、給送すべき記録媒体を載置する載置手段と、載置手段上の記録媒体数を検知する記録媒体検知手段とを有し、
前記搬送制御手段は、前記画像形成枚数情報と、前記記録媒体検知手段によって検知された記録媒体数と、を比較することによって、前記画像形成命令が実行可能か否かを前記画像形成制御手段に通知することを特徴とする請求項９に記載の搬送装置。
【請求項１１】
前記搬送手段は、画像形成済の記録媒体を装置外に排出する排出手段であって、
前記搬送制御手段は、前記画像形成制御手段から、前記画像形成命令に含まれる画像形成枚数情報を獲得して、該枚数の記録媒体の排出が可能であるか否かを前記画像形成制御手段に通知することを特徴とする請求項８に記載の搬送装置。
【請求項１２】
前記排出手段は、排出された記録媒体を載置する載置手段と、載置手段上の記録媒体数を検知する記録媒体検知手段とを有し、
前記搬送制御手段は、前記画像形成枚数情報と、前記記録媒体検知手段によって検知された記録媒体数と、前記載置手段に載置可能な記録媒体数とを比較することによって、前記画像形成命令が実行可能か否かを前記画像形成制御手段に通知することを特徴とする請求項１１に記載の搬送装置。
【請求項１３】
前記搬送手段は、画像形成済の記録媒体をステープルして装置外に排出する排出手段であって、
前記搬送制御手段は、前記画像形成制御手段から、前記画像形成命令に含まれるステープル数情報を獲得して、該ステープル数の記録媒体のステープルが可能であるか否かを前記画像形成制御手段に通知することを特徴とする請求項８に記載の搬送装置。
【請求項１４】
前記排出手段は、残留ステープル数を検知するステープル検知手段を有し、
前記搬送制御手段は、該ステープル検知手段によって検知された残留ステープル数と、前記画像形成命令に含まれるステープル数情報を比較して、前記画像形成命令の実行が可能か否かを前記画像形成制御手段に通知することを特徴とする請求項１３に記載の搬送装置。
【請求項１５】
記録媒体に対して画像形成を行なう画像形成手段と、
入力した画像形成命令に基づいて前記画像形成手段を制御する画像形成制御手段と、
前記画像形成手段に対して前記記録媒体の搬送を行なう搬送手段と、
前記搬送手段を制御する搬送制御手段と、
を有する画像形成装置の制御方法であって、
前記画像形成制御手段から前記搬送制御手段に、画像形成処理開始前に、前記画像形成命令に含まれる画像形成情報を通知する第１通知工程と、
該画像形成情報を解析して、前記画像形成命令が実行可能か否かを前記画像形成制御手段に第２通知工程と、
を有することを特徴とする画像形成装置の制御方法。
【手続補正２】
【補正対象書類名】明細書
【補正対象項目名】０００６
【補正方法】変更
【補正の内容】
【０００６】
【課題を解決するための手段】
上記目的を達成するため、本発明に係る装置は、
記録媒体に対して画像形成を行なう画像形成手段と、
入力した画像形成命令に基づいて前記画像形成手段を制御する画像形成制御手段と、
前記画像形成手段に対して前記記録媒体の搬送を行なう搬送手段と、
前記搬送手段を制御する搬送制御手段と、
を有する画像形成装置であって、
前記搬送制御手段は、前記画像形成制御手段から、画像形成処理開始前に、前記画像形成命令に含まれる画像形成情報を獲得し、該画像形成情報を解析して、前記画像形成命令が実行可能か否かを前記画像形成制御手段に通知することを特徴とする。
【手続補正３】
【補正対象書類名】明細書
【補正対象項目名】００１３
【補正方法】変更
【補正の内容】
【００１３】
記録媒体に対して画像形成を行なう画像形成手段と、
入力した画像形成命令に基づいて前記画像形成手段を制御する画像形成制御手段と、
を有する画像形成装置に接続される搬送装置であって、
前記画像形成手段に対して前記記録媒体の搬送を行なう搬送手段と、
前記搬送手段を制御する搬送制御手段と、
を有し、
前記搬送制御手段は、前記画像形成制御手段から、画像形成処理開始前に、前記画像形成命令に含まれる画像形成情報を獲得し、該画像形成情報を解析して、前記画像形成命令が実行可能か否かを前記画像形成制御手段に通知することを特徴とする。
【手続補正４】
【補正対象書類名】明細書
【補正対象項目名】００２０
【補正方法】変更
【補正の内容】
【００２０】
上記目的を達成するため、本発明に係る方法は、
記録媒体に対して画像形成を行なう画像形成手段と、
入力した画像形成命令に基づいて前記画像形成手段を制御する画像形成制御手段と、
前記画像形成手段に対して前記記録媒体の搬送を行なう搬送手段と、
前記搬送手段を制御する搬送制御手段と、
を有する画像形成装置の制御方法であって、
前記画像形成制御手段から前記搬送制御手段に、画像形成処理開始前に、前記画像形成命令に含まれる画像形成情報を通知する第１通知工程と、
該画像形成情報を解析して、前記画像形成命令が実行可能か否かを前記画像形成制御手段に第２通知工程と、
を有することを特徴とする。
【手続補正５】
【補正対象書類名】明細書
【補正対象項目名】００２１
【補正方法】削除
【補正の内容】